(57)【要約】【課題】部品点数を削減し、安価な発光指針を提供する。【解決手段】指示部１４および基部１０からなり、この指示部１４および基部１０に発光面８を有する指針本体９と、基部１０の下方に配置され裏面側より光を受光する受光部２５，２５Ａとこの受光部２５，２５Ａに対応して形成された反射面２６，２６Ａとを有する指針台座１１と、発光面８を露出して指針台座１１の上側を覆うように配置された指針キャップ１２と、バランサー１３と、を備えた発光指針４において、指針台座１１は光透過性の材料からなり、バランサー１３は少なくとも反射面２６，２６Ａが露出するように基部１０と指針台座１１間に配置する。【選択図】図１
2008082713.tif 000002
【特許請求の範囲】
【請求項１】
指示部および基部からなり、この指示部および基部に発光面を有する指針本体と、前記基部の下方に配置され裏面側より光を受光する受光部とこの受光部に対応して形成された反射面とを有する指針台座と、前記発光面を露出して前記指針台座の上側を覆うように配置された指針キャップと、バランサーと、を備えた発光指針において、前記指針台座は光透過性の材料からなり、前記バランサーは少なくとも前記反射面が露出するように前記基部と前記指針台座間に配置されたことを特徴とする発光指針。
【請求項２】
前記発光面は前記反射面が形成されていない前記指針台座箇所に対応した後側発光面を有し、前記バランサーが前記後側発光面と前記指針台座間に配置されたことを特徴とする請求項１に記載の発光指針。
【請求項３】
前記バランサーが半透過性の材料からなることを特徴とする請求項１または請求項２に記載の発光指針。
【発明の詳細な説明】
【技術分野】
【０００１】
本発明は、例えば車両用計器に用いられる発光指針に関するものである。
【背景技術】
【０００２】
発光指針を計器に用いた例として、例えば実開平５−７９４３４号公報がある。この発光指針は、計器を構成する文字板４３および導光体４４の背後に設けられた光源４７からの光を受光部材１３の受光部１８，１９から受光部材１３内に入射させ、反射面２０，２１で反射させて指示部材１２内に光を導いて指示部３３を一様に発光させるというものである。
【特許文献１】実開平５−７９４３４号公報
【発明の開示】
【発明が解決しようとする課題】
【０００３】
しかしながら、前記実開平５−７９４３４号公報に記載の発光指針に於いては、受光部材１３と台座１５を別部品としてある。これは、受光部材１３が透光性材料からなるのに対し、台座１５を不透光性材料として、受光部１８，１９以外から余計な光が受光部材１３内に入り込むのを防ぐためであるが、それぞれ別部品のため組み付け工数も増えてしまう。これを解決するために、受光部材１３と台座１５とを一体成形して１個の部品とすることもできるが、一体成形することによってコスト高となってしまう。
【０００４】
本発明はこの様な点に鑑みなされたもので、部品点数を削減し、安価な発光指針を提供することを目的とする。
【課題を解決するための手段】
【０００５】
本発明は前記目的を達成するため、指示部および基部からなり、この指示部および基部に発光面を有する指針本体と、前記基部の下方に配置され裏面側より光を受光する受光部とこの受光部に対応して形成された反射面とを有する指針台座と、前記発光面を露出して前記指針台座の上側を覆うように配置された指針キャップと、バランサーと、を備えた発光指針において、前記指針台座は光透過性の材料からなり、前記バランサーは少なくとも前記反射面が露出するように前記基部と前記指針台座間に配置したものである。
【０００６】
また、前記発光面は前記反射面が形成されていない前記指針台座箇所に対応した後側発光面を有し、前記バランサーを前記後側発光面と前記指針台座間に配置したものである。
【０００７】
また、前記バランサーが半透過性の材料からなるものである。
【発明の効果】
【０００８】
部品点数を削減し、安価な発光指針を得ることができる。
【発明を実施するための最良の形態】
【０００９】
本発明を車両用計器に用いられる発光指針を実施形態として説明する。図１は、発光指針が適用された計器の部分断面図であり、図２は発光指針の分解斜視図である。図３は、発光指針の指針台座上にバランサーが配置された状態を示す正面図である。
【００１０】
計器は、硬質な回路基板１と、この回路基板１の裏面側に回路基板１と導通状態で装着され、回路基板１を貫通して前方に延びる回動軸２を有する計器本体３と、回動軸２に固着された発光指針４と、この発光指針４の背後に配置された表示板５と、回動軸２周囲の回路基板１上に実装され発光指針４を照明する光源としての指針用発光ダイオード６と、この指針用発光ダイオード６を囲むように表示板５と回路基板１との間に配置された円形の筒部７とを備えている。
【００１１】
発光指針４は、発光面８を有する指針本体９と、この指針本体９の基部１０下方に配置された指針台座１１と、発光面８を露出して指針台座１１の上側を覆うように配置された指針キャップ１２と、バランサー１３とを備えている。
【００１２】
指針本体９は、アクリル，ポリカーボネート等の光透過性である（例えば無色透明な）合成樹脂からなり、指示部１４と指針キャップ１２に覆われる基部１０とに大別される。指示部１４と基部１０の表面側には発光面８を有し、この発光面８の表面には例えば赤色の箔がホットスタンプされることによって赤色着色層１５が形成され、指示部１４の裏面には例えば白色の箔がホットスタンプされることによって白色着色層１６が形成されている。基部１０は略円板状となっており、２個の孔１７が設けてある。
【００１３】
指針キャップ１２は、非透過性である（例えば黒色の）合成樹脂からなるほぼ円形の逆カップ状であり、上壁１８の一部には発光面８が露出するように上壁スリット１９が設けてある。また、周壁２０の指示部１４側にも側壁スリット２１が連設されており、この側壁スリット２１から指示部１４が導出されている。
【００１４】
指針台座１１は、光透過性である（例えば無色透明な）合成樹脂からなり、略円板状の台座部２２と、この台座部２２中心の裏面側に突設した取付部２３と、指針本体９の基部１０に設けられた孔１７に対応して設けられた２個のボス２４と、取付部２３より指針本体９の指示部１４側に設けられた受光部２５，２５Ａと、この受光部２５，２５Ａに対応した反射面２６，２６Ａを有している。受光部２５，２５Ａと反射面２６，２６Ａは台座部２２の表面側に２個設けてあるが１個でも良い。なお、指針本体９に設けられた発光面８は反射面２６，２６Ａが形成されていない指針台座１１箇所に対応した基部１０箇所にも設けられており、この発光面８を後側発光面８Ａとする（図１参照）。
【００１５】
バランサー１３は、発光指針４のバランスを取るもので、黄銅や亜鉛などの金属系の材料（不透過性）からなる。このバランサー１３は、図１および図３に示す様に少なくとも反射面２６，２６Ａが露出するように、指針本体９の基部１０に設けられている後側発光面８Ａ（基部１０）と指針台座１１間の指針台座１１上に配置されている。
【００１６】
この発光指針４は、指針台座１１の取付部２３を計器本体３の回動軸２の先端側に圧入することによって計器本体３に固着される。そして、所定の計測量に応じて発光指針４が回動し、指示部１４が表示板５に施された表示部（図示せず）を指し示すようになっている。
【００１７】
この様に構成された発光指針４に於いては、指示部１４の発光面８は赤色で視認される。また、受光部２５，２５Ａの下方に配設された例えば白色で発光する指針用発光ダイオード６が点灯すると、指針用発光ダイオード６からの光は受光部２５，２５Ａに入射した後、反射面２６，２６Ａで反射して指示部１４側に導かれて、裏面に形成された白色着色層１６で反射して指示部１４表面側に向かい、発光面８に形成された赤色着色層１５を透過して発光面８が赤色で発光（照明）するようになる。
【００１８】
なお、受光部２５，２５Ａから入射した光は全てが反射面２６，２６Ａで反射するものではなく、上方（基部１０側）に向かう光もある。従って、基部１０上に設けられている発光面８（後側発光面８Ａも含む）はこの光によって発光（照明）される。また、指針台座１１が光透過性の合成樹脂からなるため、受光部２５，２５Ａ以外から入射して特に後側発光面８Ａに向かう強い光はバランサー１３によって抑えられるため、発光面８全体をバランス良く発光させることができる。
【００１９】
この様に、従来例に於ける受光部材１３と台座１５とを一部品で形成した指針台座１１を光透過性の材料とすることによって、部品点数を削減し安価な発光指針とすることができると共に、バランサー１３を少なくとも反射面２６，２６Ａが露出するように指針本体９の基部１０と指針台座１１間に配置したことにより、指針台座１１が光透過性の材料であってもバランサー１３によって発光面８全体をバランス良く発光させることができる。また、後側発光面８Ａと指針台座１１間にバランサー１３を配置することにより、同様に部品点数を削減し安価な方法でもって特に後側発光面８Ａに向かう強い光を抑えて、発光面８全体をバランス良く発光させることが可能となる。
【００２０】
なお、バランサー１３を不透過性である金属系の材料としたが、比重が高く半透過性を有する材料（例えば合成樹脂）としても良い。この様に構成することによって、指針台座１１を透過して基部１０（特に後側発光面８Ａ）側に向かう光を完全に遮ることにはならないため、発光面８が後側まで延びている指針本体９であってもバランサー１３を透過する僅かな光も発光面（特に後側発光面）を照らすために発光面８全体の明るさ調整が容易となる。即ち、バランサー１３は発光指針４のバランスを取るものであるが、特に発光面に向かう光を遮ったり、或いは減衰させることによって、発光面全体の明るさを調整する機能も備えている。
【図面の簡単な説明】
【００２１】
【図１】本発明の実施形態を示す発光指針が適用された計器の部分断面図。
【図２】同実施形態を示す発光指針の分解斜視図。
【図３】同実施形態の指針台座上にバランサーが配置された状態を示す正面図。
【符号の説明】
【００２２】
４  発光指針
８  発光面
８Ａ  後側発光面
９  指針本体
１０  基部
１１  指針台座
１２  指針キャップ
１３  バランサー
２３  取付部
２５，２５Ａ  受光部
２６，２６Ａ  反射面
【図１】
2008082713.tif 000003
【図２】
2008082713.tif 000004
【図３】
2008082713.tif 000005